(57)【要約】【課題】軒樋を切断する際に軒樋を手で持って傾けたり持ち上げたりする必要がなく、軒樋を回転させながら一人の作業者で簡単且つ正確に軒樋を切断することができる軒樋切断治具を提供する。【解決手段】軒樋１の外周面に嵌合する支持片２１０を有し、外周に電動鋸を案内するガイド片２４ａが突出されてなる治具本体２０と、治具本体２０の側部に設けられていて中央に軒樋１が貫通する通孔２６ａを有する円盤状支持体２６とにより軒樋切断治具２を構成し、軒樋１及びこれを支持した治具本体２０を円盤状支持体２６とともに軒樋１の長手方向に沿った軸廻りに回転させながら軒樋１を電動鋸で切断する。【選択図】図１
2010216199.tif 000002
【特許請求の範囲】
【請求項１】
軒樋を支持して電動鋸で切断するための軒樋切断治具において、
軒樋の外周面に被嵌するとともに、その外周に電動鋸を案内するガイド片が突出されてなる治具本体と、治具本体の側部に設けられていて中央に当該治具本体で支持された軒樋が貫通する通孔を有する円盤状支持体とを備え、
軒樋及びこれを支持した治具本体を円盤状支持体とともに前記軒樋の長手方向に沿った軸廻りに回転させ得るように構成されたことを特徴する軒樋切断治具。
【請求項２】
治具本体は、軒樋の外側に着脱自在に被嵌される一対の半割体により形成されていることを特徴とする請求項１に記載の軒樋切断治具。
【請求項３】
治具本体の外周に電動鋸のベース板と摺接する案内面が形成されていることを特徴とする請求項１又は２に記載の軒樋切断治具。
【請求項４】
案内面は、支持される軒樋の底壁及び前後側壁と略平行であって軒樋の周囲を包囲する多角面により形成されていることを特徴とする請求項３に記載の軒樋切断治具。
【請求項５】
案内面は、支持される軒樋の周囲を包囲する略円筒な面により形成されていることを特徴とする請求項３に記載の軒樋切断治具。
【発明の詳細な説明】
【技術分野】
【０００１】
本発明は、電動鋸を用いて軒樋を切断する際に用いられる治具の構造であって、軒樋を安定的に支持して切断位置をずらすことなく真っ直ぐに切断できるように構成された軒樋切断治具に関する。
【背景技術】
【０００２】
屋根の軒先に沿って軒樋を配設する施工現場では、定尺の軒樋を取り付け位置に応じ所定の長さに切断して使用している。このとき、軒樋を斜めに切断してしまうと、軒樋の端部同士の突き合わせ部に隙間ができ、突き合わせ端部の内側に内継手を嵌合させて接続したときには突き合わせ部の隙間が外側に露出するため、軒下から軒先を見上げたときの見栄えが悪くなってしまう。隙間が大きいと接続部の雨漏りを誘発することにもなりかねない。施工現場では作業スペースや利用可能な工具などの制限を受けるため軒樋をその長手方向に対して直角に正確に切断することは難しく、また、硬質塩化ビニル樹脂製の軒樋の切断は比較的容易であるものの、表面を塩化ビニル樹脂などで被覆した樹脂被覆鋼板をベンダーなどで折り曲げて成形した金属製軒樋は硬いため切断し難く、切断作業に手間がかかるだけでなく、切断作業中に切断工具の刃先がずれて斜めに切断してしまいやすかった。
【０００３】
そこで、従来から施工現場での軒樋の切断作業では、図８及び図９に示されるような切断治具が利用されている。
この切断治具９０は、両端に軒樋９の耳部９ａ、９ａに係合する耳係合部９２、９２を有し、軒樋９の長手方向と直交する幅方向に亘って軒樋９に外嵌合し得るように形成された治具本体９１と、電動鋸のベース板に装着される被ガイド片９４からなるものであり、治具本体９１の外周面に形成されたガイド溝９３に被ガイド片９４の端部を係入させた状態で、治具本体９１の外周に沿って被ガイド片９４を摺接させることができるように構成してある（例えば、特許文献１参照）。
【０００４】
この切断治具９０を用いた軒樋９の切断手順は、先ず軒樋９を裏返しにして地表面に置き、切断治具９０を軒樋９の切断位置の近傍に配置して、これを軒樋９の外面に沿わせるようにして軒樋９に被せ、耳係合部９２、９２を軒樋９の耳部９ａ、９ａにそれぞれ係合させて取り付ける。次いで、ベース板に被ガイド片９４が装着された電動鋸を、前記被ガイド片９４の端部を切断治具９０のガイド溝９３に係入させてセットし、電動鋸の回転刃９５を軒樋９に押し付けながらガイド溝９３に沿って被ガイド片９４を摺接させて電動鋸を治具本体９１の周りで移動させ、或いは電動鋸を定位置に支持したまま軒樋９もろとも治具本体９０を回転させることにより軒樋９を切断するようになっている。
【先行技術文献】
【特許文献】
【０００５】
【特許文献１】特開２００４−２９１３６１号公報
【発明の概要】
【発明が解決しようとする課題】
【０００６】
前記従来の切断治具９０にあっては、軒樋９を切断するときに軒樋９を地表面に裏返しに置き、軒樋９の底壁９ｃに回転刃９５を押し付け、底壁９ｃと略垂直な軒樋９の前側壁９ｂ及び後側壁９ｄを順次切断するが、この際、作業者は片手で電動鋸を支持しつつ片手で軒樋９を持ち上げて前後に傾けたり回転させたりしなければならない。定尺の軒樋は長さ寸法が２７３０ｍｍもあり、また、表面が樹脂被覆された金属製軒樋は重量が３ｋｇ程もあるため、作業者一人で軒樋を片手で支持して傾けたり回転させたりし、同時に電動鋸を駆動操作する作業は多大な労力を必要とし、また、回転操作中に前記被ガイド片９４の先端がガイド溝９３から外れて電動鋸が傾き、軒樋９を斜めに切断してしまうこともあった。
【０００７】
本発明は従来技術の有するこのような問題点に鑑み、軒樋を切断する際に軒樋を直接手で持って傾けたり持ち上げたりする必要がなく、治具で支持した軒樋を治具と一体に回転させて、一人の作業者でも簡単且つ正確に軒樋を切断することができる軒樋切断治具を提供することを課題とする。
【課題を解決するための手段】
【０００８】
前記課題を解決するため本発明は、軒樋を支持して電動鋸で切断するための軒樋切断治具において、
軒樋の外周面に被嵌するとともに、その外周に電動鋸を案内するガイド片が突出されてなる治具本体と、治具本体の側部に設けられていて中央に当該治具本体で支持された軒樋が貫通する通孔を有する円盤状支持体とを備え、
軒樋及びこれを支持した治具本体を円盤状支持体とともに前記軒樋の長手方向に沿った軸廻りに回転させ得るように構成されていることを特徴する。
【０００９】
これによれば、治具本体の側部に円盤状支持体が設けられており、軒樋を治具本体に支持させて地表面に置き、地表面に設置した円盤状支持体を操作して回転させることで、軒樋と治具本体が軒樋長手方向に沿った軸廻りに一体に回転し、軒樋を任意の方向に容易に回転させることができる。そして、電動鋸を治具本体の外周側に突出させたガイド片に沿わせて設置すれば、電動鋸の回転刃が軒樋の長手方向と直交する方向に保持されたまま、軒樋の回転に伴い当該軒樋の外周に沿って移動し、軒樋の短手幅方向に沿って真っ直ぐに軒樋を切断することができる。
【００１０】
前記構成において、治具本体は、軒樋の外側に着脱自在に被嵌される一対の半割体により形成することができる。このように一対の半割体からなる治具本体で軒樋が被嵌されていると、軒樋への治具の着脱が容易となり、治具本体の円盤状支持体を地表面に接地させて回転させるだけで、軒樋を円滑に回転させることができる。
【００１１】
治具本体の外周には、電動鋸のベース板と摺接する案内面を形成することができる。この案内面は、支持される軒樋の底壁及び前後側壁と略平行であって軒樋の周囲を包囲する多角面により形成することができる。
このように案内面が形成されていると、軒樋の底壁及び前後側壁を電動鋸の回転刃で切断する際、治具本体の外周側に突出しているガイド片に電動鋸を沿わせながら電動鋸のベース板を平坦な案内面に面接触させて摺接することで電動鋸の回転刃の移動が安定し、軒樋を短手幅方向に沿って精度良く切断でき、切断面の仕上がりが綺麗になる。
また、案内面は、支持される軒樋の周囲を包囲する略円筒な周面により形成してもよく、電動鋸のベース板を略円筒な周面に沿って円滑に摺接させることができるので、軒樋を回動させつつ安定且つ正確に切断することができる。
【００１２】
前記構成の軒樋切断治具において、前記治具本体と円盤状支持体は、一体に形成しても、それぞれ別体に形成してもよい。別体に形成した場合、円盤状支持体は治具本体の側部に固定して、治具本体が円盤状支持体と一体に回転するように取り付けられる。なお、「被嵌」は被せるように嵌める状態をいい、「摺接」はすり動く状態で接することをいう。
【図面の簡単な説明】
【００１３】
【図１】本発明の一実施形態の軒樋切断治具の半割体を軒樋の周りで展開した状態の斜視図である。
【図２】図１の軒樋切断治具の半割体同士を組み付けた状態の斜視図である。
【図３】図２に示した軒樋切断治具の側面図である。
【図４】軒樋を切断する電動鋸の一例の斜視図である。
【図５】図１の軒樋切断治具を用いて軒樋を切断する状態を示す概略断面図である。
【図６】（Ａ）、（Ｂ）は図１の半割体縁部の係止接続部分の要部拡大断面図である。
【図７】本発明の他の実施形態の軒樋切断治具の組み付け状態の斜視図である。
【図８】従来の軒樋切断治具を軒樋に装着した状態の外観図である。
【図９】図８の軒樋切断治具を用いて軒樋を切断する状態を示す要部概略断面図である。
【発明を実施するための形態】
【００１４】
本発明の好適な実施形態を図面に基づいて説明する。
図１〜図６は軒樋切断治具の一実施形態を示し、図中、符号１は軒樋、２は軒樋切断治具、３は電動鋸をそれぞれ示している。
【００１５】
軒樋１は、例えば塩化ビニル樹脂などで表面が被覆された樹脂被覆鋼板、或いはアルミ板などの耐蝕性を有する金属鋼板を板金加工により長手方向に沿って屈曲成形した長尺な角形樋であり、図１に示されるように、底壁１１の前端で屈曲して斜め前方に立ち上がる前側壁１２と、底壁１１の後端で屈曲して略垂直に立ち上がる後側壁１３によって断面略Ｕ字状に形成されている。前側壁１２の上端には内側に鋭角に折り返して形成した前耳部１２ａ、後側壁１３の上端には後方に屈曲してから内側に向かって開口する断面略コ字状の後耳部１３ａがそれぞれ設けてある。
【００１６】
軒樋切断治具２は、軒樋１の周囲をその長手方向に沿って適宜な幅に亘って包囲する筒状体内に、軒樋１の外周面に装着して軒樋１を支持する治具本体２０と軒樋１が貫通し得る大きさの通孔２６ａを中央に有する円盤状支持体２６を連結部２５を介して一体に成形し、且つこの筒状体を軒樋１の開口面を含む略上半部に嵌合する半割体２Ａと、軒樋１の略下半部に嵌合する半割体２Ｂとに二分し、軒樋１の外側面に両半割体２Ａ、２Ｂを被嵌し一体に組み付けることにより軒樋１の外周面を支持するように構成されている。
【００１７】
詳しくは、治具本体２０の外面は、軒樋１に装着したときにその底壁１１、前側壁１２及び後側壁１３を包囲する、これら各壁と略平行な平坦な面及び軒樋１の前耳部１２ａと後耳部１３ａを結ぶ面と略平行な平坦な面によって多角断面形状に形成されており、前記各平坦な面により後述する電動鋸３のベース板３１の下面が接合する案内面２０ａを構成している。治具本体２０の軸方向の一端側の外側板２１と他端側の内側板２２には、軒樋１の外形断面形状と略合致した形状に切り欠いてなる、軒樋１の外周面に嵌合する支持片２１０、２２１を形成してある。
【００１８】
治具本体２０の周方向の分割縁部には、図６（Ａ）に示されるように、一方の半割体２Ｂの内側縁部から突出した係止部２３を設けてあり、この係止部２３の凸部２３ｂを他方の半割体２Ａの内側縁部に設けた凹部２３ａに係合して縁部同士を一体に連結し、両半割体２Ａ、２Ｂを組み付け位置に固定するようになっている。
【００１９】
また、治具本体２０の他端側外周には、前記内側板２２と連なって治具本体２０の外面から外方へ突出したガイド片２４ａを、多面状の案内面２０ａの周方向に沿って鍔状に形成してある。このガイド片２４ａは、電動鋸３のベース板３１の側端部が係合可能な適宜な高さ寸法で、治具本体２０を軒樋１に被嵌した状態でその軒樋１の長手方向と直交する方向に沿って、前記案内面２０ａの表面に突出させてある。
【００２０】
さらに、治具本体２０の内側板２２の側部には連結部２５が延出し、この連結部２５の端部に、軒樋１が貫通する通孔２６ａを中央に有する円盤状支持体２６を一体に連設してある。
連結部２５は、内側板２２の支持片２２１の周縁を側方へ直角に屈曲させて延出させたものであり、その内周面が軒樋１の外周面に被着するように形成してある。
円盤状支持体２６は略真円な円盤であり、図３に示されるように、その中心を軒樋１の断面外形の外接円（Ｃ）の中心と略同心となるように設定し、その直径を前記外接円の直径よりも若干大きく設定して形成してある。連結部２５と円盤状支持体２６は互いの外面を三角形の補強板２８で連結して補強してある。
【００２１】
また、円盤状支持体２６の周方向の分割縁部には、図６（Ｂ）に示すように、一方の半割体２Ｂの内側縁部から突出した係止部２７を設けてあり、この係止部２７の凸部２７ｂを他方の半割体２Ａの内側縁部に設けた凹部２７ａに係合して縁部同士を一体に連結し、半割体２Ａ、２Ｂを軒樋１の外側に被嵌させて一体に組み付けたときに、軒樋１と治具本体２０及び円盤状支持体２６とが相互にずれたり、がたついたりしないように構成してある。
【００２２】
次に、本発明の軒樋切断治具２を用いて軒樋１を切断する作業手順を説明する。
先ず、軒樋１の切断位置の近傍に一対の半割体２Ａ、２Ｂを配置し、双方の半割体２Ａ、２Ｂを軒樋１の外周面に被嵌させ、分割縁部に形成された係止部２３、２７を係合させて一体に組み付ける。一体に組み付けられた半割体２Ａ、２Ｂは、軒樋１の外周面に治具本体２０の支持片２１０、２２１と連結部２５の内周面がそれぞれ嵌合して軒樋１の外周面を挟み持ち、軒樋１は治具本体２０、連結部２５及び円盤状支持体２６の内部に挿通させて支持される。
【００２３】
このようにして軒樋１の外周面所定位置に軒樋切断治具２を装着してから、軒樋１及び軒樋切断治具２を地表面や作業台の上に載置する。この際、軒樋１が水平状態に維持されるように、軒樋１の長手方向端部を別の支持部材の上に載せ、この支持部材と軒樋１に装着した前記軒樋切断治具２とで軒樋１が水平となるように高さを調節し、或いは当該軒樋切断治具２の装着位置から若干距離を置いて軒樋１の外周面に別の軒樋切断治具２を装着し、両軒樋切断治具２、２で軒樋１を水平に保持することが好ましい。
【００２４】
次いで、図４に示す矩形ベース板３１の下方に回転刃３２を配してなる電動鋸３を、図５に示されるように、前記ベース板３１の側端部を前記ガイド片２４ａに沿わせて治具本体２０上に設置し、電動鋸３のベース板３１を治具本体２０の案内面２０ａに押し付けて摺接させながら軒樋１を長手方向軸廻りに回転させつつ、電動鋸３の回転駆動する回転刃３２で軒樋１を切断する。
この切断作業の際に、作業者は片手で電動鋸３を操作しながら、片手で前記円盤状支持体２６の周縁を把持して押し回しながら、軒樋切断治具２と一体に軒樋１をその長手方向軸廻りにスムーズに回転させることができるので、電動鋸３の回転刃３２は軒樋切断治具２のガイド片２４ａと案内面２０ａに案内されて、軒樋２の外周廻りに沿って正確に移動し、軒樋１の外周面に回転刃３２を切り入れて軒樋１を短手幅方向に沿って真っ直ぐに、精度良く綺麗に切断することができる。なお、軒樋１を所定の長さに切断したならば、半割体２Ａ、２Ｂを分離し、軒樋１の外周面から軒樋切断治具２を取り外す。
【００２５】
図７は本発明の軒樋切断治具１の他の実施形態を示している。前記形態では治具本体２０の案内面２０ａを多角面に設けたが、この形態は、治具本体２０の外面に略円筒状の周面からなる案内面２０ｂを設けて形成したものである。一体に組み付け可能な半割体２Ａ、２Ｂにより構成されていること、案内面２０ｂに沿ってガイド片２４ｂを突設させてあることは前記形態と同様である。
このように治具本体２０の外周面に略円筒状の案内面２０ｂが形成されていると、電動鋸３のベース板３１の側端部をガイド片２４ｂに摺接させつつ、案内面２０ｂに沿って連続して滑らかに軒樋１の廻りに回転刃３２を移動させて、前記と同様な回転操作しながら軒樋１を短手幅方向に沿って真っ直ぐに綺麗に切断することが可能である。
【００２６】
なお、図示した形態は一例であり、本発明の軒樋切断治具２の構成はこれらに限定されるものではない。
図示した形態は何れも、軒樋切断治具２を一対の半割体２Ａ、２Ｂにより構成したが、両半割体を一体に成形して構成してもよく、或いは互いに分離及び一体に組み付け可能な三つ以上の部材により構成してもよい。また、治具本体２０、連結部２５及び円盤状支持体２６を一体に成形したが、これら各部を別体に形成し、切断作業の際に一体に組み付けるようにしてもよい。軒樋１の外周面に嵌合する支持片２１０、２２１は、治具本体２０の側板２１、内側板２２を軒樋１の断面形状に沿って切り欠いて形成したが、軒樋１の外周面に嵌合するのであれば形状は問わず、外周面全体に嵌合しなくとも部分的に嵌合する形状としてもよい。支持片２１０、２２１は、支持する軒樋１の形状に対応した形状に形成される。円盤状支持体２６は略真円な円盤として形成したが、滑らかに回転可能であれば多角形、好ましくは正六角形や正十五角形といった正多角形状に形成してもよい。
【符号の説明】
【００２７】
１  軒樋、２  軒樋切断治具、２Ａ、２Ｂ  半割体、２０  治具本体、２０ａ、２０ｂ  案内面、２１  側板、２２  内側板、２１０、２２１  支持片、２４ａ、２４ｂ  ガイド片、２５  連結部、２６  円盤状支持体、２６ａ  通孔
【図１】
2010216199.tif 000003
【図２】
2010216199.tif 000004
【図３】
2010216199.tif 000005
【図４】
2010216199.tif 000006
【図５】
2010216199.tif 000007
【図６】
2010216199.tif 000008
【図７】
2010216199.tif 000009
【図８】
2010216199.tif 000010
【図９】
2010216199.tif 000011